(57)【要約】【課題】消灯時にちらつきなどの誤作動が発生することを防止し、光源を確実に消灯することができる誤作動防止回路を提供する。【解決手段】直流電源回路１１０から入力電圧が印加されることにより所定の電流が流れた場合に作動して発光素子２２を発光させる制御回路１３０の、誤作動を防止する誤作動防止回路１５０であって、直流電源回路１１０の正の出力端子及び負の出力端子の間に接続され、入力電圧が印加された場合に第１の抵抗状態となり、制御回路１３０を作動させ、入力電圧よりも小さい電圧が印加された場合に第１の抵抗状態よりも抵抗値が小さい第２の抵抗状態となり、直流電源回路１１０から制御回路１３０に供給される電流の少なくとも一部を引き込んで制御回路１３０を作動させない。【選択図】図４
2014235778.tif 000002
【特許請求の範囲】
【請求項１】
直流電源回路から入力電圧が印加されることにより所定の電流が流れた場合に作動して発光素子を発光させる制御回路の、誤作動を防止する誤作動防止回路であって、
前記直流電源回路の正の出力端子及び負の出力端子の間に接続され、
前記入力電圧が印加された場合に第１の抵抗状態となり、前記制御回路を作動させ、
前記入力電圧よりも小さい電圧が印加された場合に前記第１の抵抗状態よりも抵抗値が小さい第２の抵抗状態となり、前記直流電源回路から前記制御回路に供給される電流の少なくとも一部を引き込んで前記制御回路を作動させない
誤作動防止回路。
【請求項２】
前記誤作動防止回路は、
第１の抵抗を有し、一端が前記正の出力端子に接続され、他端が前記負の出力端子に接続される第１の電流パスと、
前記第１の抵抗よりも抵抗値が小さい第２の抵抗を有し、一端が前記正の出力端子に接続され、他端が前記負の出力端子に接続される第２の電流パスとを備え、
前記入力電圧が印加された場合に前記第１の電流パスを導通させて前記第１の抵抗状態となり、
前記入力電圧よりも小さい電圧が印加された場合に前記第２の電流パスを導通させて前記第２の抵抗状態となる
請求項１に記載の誤作動防止回路。
【請求項３】
前記第１の電流パスは、さらに、第１のスイッチング素子を有し、
前記第２の電流パスは、さらに、第２のスイッチング素子を有し、
前記誤作動防止回路は、
前記入力電圧が印加された場合に前記第１のスイッチング素子をＯＮ状態として前記第１の電流パスを導通させ、
前記入力電圧よりも小さい電圧が印加された場合に前記第２のスイッチング素子をＯＮ状態として前記第２の電流パスを導通させる
請求項２に記載の誤作動防止回路。
【請求項４】
前記制御回路は、前記直流電源回路の正の出力端子及び負の出力端子の間に接続され、
前記誤作動防止回路が前記第２の抵抗状態であるときの抵抗値は、前記制御回路の、前記正の出力端子に接続される端から前記負の出力端子に接続される端までの抵抗値よりも小さい
請求項１〜３のいずれか１項に記載の誤作動防止回路。
【請求項５】
前記誤作動防止回路が前記第２の抵抗状態であるときの抵抗値は、前記制御回路の、前記正の出力端子に接続される端から前記負の出力端子に接続される端までの抵抗値の２０分の１以下である
請求項４に記載の誤作動防止回路。
【請求項６】
前記制御回路は、前記直流電源回路の正の出力端子及び負の出力端子の間に接続され、
前記誤作動防止回路が前記第１の抵抗状態であるときの抵抗値は、前記制御回路の、前記正の出力端子に接続される端から前記負の出力端子に接続される端までの抵抗値よりも大きい
請求項１〜５のいずれか１項に記載の誤作動防止回路。
【請求項７】
前記誤作動防止回路が前記第２の抵抗状態であるときの抵抗値は、前記誤作動防止回路が前記第１の抵抗状態であるときの抵抗値の２０分の１以下である
請求項１〜６のいずれか１項に記載の誤作動防止回路。
【請求項８】
前記第１の電流パスは、さらに第３の抵抗を有し、
前記誤作動防止回路は、さらに、第４の抵抗、及び第５の抵抗を備え、
前記第１の抵抗の一端は、前記正の出力端子に接続され、
前記第１の抵抗の他端は、前記第３の抵抗の一端及び前記第４の抵抗の一端に接続され、
前記第２の抵抗の一端は、前記正の出力端子に接続され、
前記第２の抵抗の他端は、前記第２のスイッチング素子のコレクタに接続され、
前記第３の抵抗の他端は、前記第１のスイッチング素子のコレクタ及び前記第２のスイッチング素子のベースに接続され、
前記第４の抵抗の他端は、前記第１のスイッチング素子のベース及び前記第５の抵抗の一端に接続され、
前記第１のスイッチング素子のエミッタ、前記第２のスイッチング素子のエミッタ、及び前記第５の抵抗の他端は、前記負の出力端子に接続される
請求項３に記載の誤作動防止回路。
【請求項９】
請求項１〜８のいずれか１項に記載の誤作動防止回路と、
前記制御回路と、
前記発光素子とを備える
照明用光源。
【請求項１０】
請求項９に記載の照明用光源を備える
照明装置。
【発明の詳細な説明】
【技術分野】
【０００１】
本発明は、誤作動防止回路に関し、特に、発光ダイオード（ＬＥＤ：Ｌｉｇｈｔ  Ｅｍｉｔｔｉｎｇ  Ｄｉｏｄｅ）を用いた照明用光源に適用される誤作動防止回路に関する。
【背景技術】
【０００２】
発光ダイオード（ＬＥＤ：Ｌｉｇｈｔ  Ｅｍｉｔｔｉｎｇ  Ｄｉｏｄｅ）は、高効率及び長寿命であることから、従来から知られる、蛍光灯及び白熱電球のような照明装置等の各種装置における新しい光源として期待されている。このＬＥＤを用いた照明用光源の研究開発が進められている。また、これに伴い、ＬＥＤを駆動するための駆動回路の開発も進められている（例えば、特許文献１を参照）。
【先行技術文献】
【特許文献】
【０００３】
【特許文献１】米国特許第７７０１１５３号明細書
【発明の概要】
【発明が解決しようとする課題】
【０００４】
このような駆動回路では、消灯時において漏れ電流などによりちらつきなどの誤作動が発生する場合がある。
【０００５】
そこで本発明は、消灯時にちらつきなどの誤作動が発生することを防止し、光源を確実に消灯することができる誤作動防止回路等を提供する。
【課題を解決するための手段】
【０００６】
上記目的を達成するために、本発明の一態様に係る誤作動防止回路は、直流電源回路から入力電圧が印加されることにより所定の電流が流れた場合に作動して発光素子を発光させる制御回路の、誤作動を防止する誤作動防止回路であって、前記直流電源回路の正の出力端子及び負の出力端子の間に接続され、前記入力電圧が印加された場合に第１の抵抗状態となり、前記制御回路を作動させ、前記入力電圧よりも小さい電圧が印加された場合に前記第１の抵抗状態よりも抵抗値が小さい第２の抵抗状態となり、前記直流電源回路から前記制御回路に供給される電流の少なくとも一部を引き込んで前記制御回路を作動させない。
【０００７】
例えば、前記誤作動防止回路は、第１の抵抗を有し、一端が前記正の出力端子に接続され、他端が前記負の出力端子に接続される第１の電流パスと、前記第１の抵抗よりも抵抗値が小さい第２の抵抗を有し、一端が前記正の出力端子に接続され、他端が前記負の出力端子に接続される第２の電流パスとを備え、前記入力電圧が印加された場合に前記第１の電流パスを導通させて前記第１の抵抗状態となり、前記入力電圧よりも小さい電圧が印加された場合に前記第２の電流パスを導通させて前記第２の抵抗状態となってもよい。
【０００８】
例えば、前記第１の電流パスは、さらに、第１のスイッチング素子を有し、前記第２の電流パスは、さらに、第２のスイッチング素子を有し、前記誤作動防止回路は、前記入力電圧が印加された場合に前記第１のスイッチング素子をＯＮ状態として前記第１の電流パスを導通させ、前記入力電圧よりも小さい電圧が印加された場合に前記第２のスイッチング素子をＯＮ状態として前記第２の電流パスを導通させてもよい。
【０００９】
例えば、前記制御回路は、前記直流電源回路の正の出力端子及び負の出力端子の間に接続され、前記誤作動防止回路が前記第２の抵抗状態であるときの抵抗値は、前記制御回路の、前記正の出力端子に接続される端から前記負の出力端子に接続される端までの抵抗値よりも小さくてもよい。
【００１０】
例えば、前記誤作動防止回路が前記第２の抵抗状態であるときの抵抗値は、前記制御回路の、前記正の出力端子に接続される端から前記負の出力端子に接続される端までの抵抗値の２０分の１以下であってもよい。
【００１１】
例えば、前記制御回路は、前記直流電源回路の正の出力端子及び負の出力端子の間に接続され、前記誤作動防止回路が前記第１の抵抗状態であるときの抵抗値は、前記制御回路の、前記正の出力端子に接続される端から前記負の出力端子に接続される端までの抵抗値よりも大きくてもよい。
【００１２】
例えば、前記誤作動防止回路が前記第２の抵抗状態であるときの抵抗値は、前記誤作動防止回路が前記第１の抵抗状態であるときの抵抗値の２０分の１以下であってもよい。
【００１３】
例えば、前記第１の電流パスは、さらに第３の抵抗を有し、前記誤作動防止回路は、さらに、第４の抵抗、及び第５の抵抗を備え、前記第１の抵抗の一端は、前記正の出力端子に接続され、前記第１の抵抗の他端は、前記第３の抵抗の一端及び前記第４の抵抗の一端に接続され、前記第２の抵抗の一端は、前記正の出力端子に接続され、前記第２の抵抗の他端は、前記第２のスイッチング素子のコレクタに接続され、前記第３の抵抗の他端は、前記第１のスイッチング素子のコレクタ及び前記第２のスイッチング素子のベースに接続され、前記第４の抵抗の他端は、前記第１のスイッチング素子のベース及び前記第５の抵抗の一端に接続され、前記第１のスイッチング素子のエミッタ、前記第２のスイッチング素子のエミッタ、及び前記第５の抵抗の他端は、前記負の出力端子に接続されてもよい。
【００１４】
また、本発明の一態様に係る照明用光源は、上記いずれかの態様の誤作動防止回路と、前記制御回路と、前記発光素子とを備える。
【００１５】
また、本発明の一態様に係る照明装置は、上記態様の照明用光源を備える。
【発明の効果】
【００１６】
本発明によれば、消灯時にちらつきなどの誤作動が発生することを防止し、光源を確実に消灯することができる。
【図面の簡単な説明】
【００１７】
【図１】図１は、従来の照明用光源の駆動回路の回路構成を示す図である。
【図２】図２は、実施の形態１に係る電球形ランプの側面図である。
【図３】図３は、実施の形態１に係る電球形ランプの断面図である。
【図４】図４は、実施の形態１に係る駆動回路の回路構成を示す図である。
【図５】図５は、ＬＥＤの点灯時における誤作動防止回路の動作を説明するための図である。
【図６】図６は、ＬＥＤの消灯時における誤作動防止回路の動作を説明するための図である。
【図７】図７は、実施の形態２に係る駆動回路の回路構成を示す図である。
【図８】図８は、実施の形態３に係る照明装置の概略断面図である。
【発明を実施するための形態】
【００１８】
（本発明の基礎となった知見）
照明用光源に用いられる駆動回路では、照明用光源の消灯時において、漏れ電流により光源のちらつきなどの誤作動が発生する場合がある。以下、図１を用いて誤作動の発生原理について説明する。
【００１９】
図１は、従来の照明用光源の駆動回路の回路構成を示す図である。
【００２０】
図１に示される駆動回路４０ａでは、第１の整流回路１１０から所定値の入力電圧Ｖｉｎがインバータ制御回路１３０ａに入力された場合、コンデンサＣ３に電流が流れ込み、コンデンサＣ３の両端に動作電圧が保持される。これによりトリガダイオードＴＤは、ブレークオーバーして導通状態となる。トリガダイオードＴＤは、インバータ１２０の制御端子であるスイッチング素子Ｑ２のベースに接続されているため、トリガダイオードＴＤが導通状態となることによってインバータ１２０の動作が開始する。すなわち、ＬＥＤ２２が発光する。
【００２１】
一方、消灯時には、通常、コンデンサＣ３の両端に保持される電圧が動作電圧に達しない。このため、トリガダイオードＴＤは、導通状態にはならず、インバータ１２０の動作が開始されないため、ＬＥＤ２２は発光しない。
【００２２】
しかしながら、漏れ電流が第１の整流回路に流れ込むことにより、第１の整流回路１１０から所定値よりも小さい電圧がインバータ制御回路１３０ａに入力され、コンデンサＣ３の両端の電圧が動作電圧に達してしまう場合がある。このような場合は、トリガダイオードＴＤが導通状態となることによってインバータ１２０の動作が開始し、ＬＥＤ２２が発光するが、同時にインバータ制御回路１３０ａに入力される電圧が低下するため、ＬＥＤ２２は消灯する。これらの繰り返しが、消灯時における照明用光源のちらつきの誤作動となる。
【００２３】
このような誤作動の原因となる漏れ電流は、特に、図１に示される、いわゆるホタルスイッチ（半導体スイッチ）などからなるスイッチ回路１６０が接続されている場合に発生しやすい。また、従来の電球形蛍光灯は、始動電圧が高いため漏れ電流によるちらつきは生じにくいが、ＬＥＤなどの発光素子では始動電圧が低いために漏れ電流によるちらつきは生じやすい傾向にある。
【００２４】
そこで本発明は、消灯時にちらつきなどの誤作動が発生することを防止し、光源を確実に消灯することができる誤作動防止回路等を提供する。
【００２５】
以下、本実施の形態に係る誤作動防止回路が適用された照明用光源及び照明装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置や接続形態、及び、工程（ステップ）や工程の順序などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００２６】
以下の実施の形態では、照明用光源の一例として、電球形ＬＥＤランプ（ＬＥＤ電球）について説明する。
【００２７】
（実施の形態１）
（電球形ランプの全体構成）
まず、実施の形態１に係る電球形ランプ１の全体構成について、図２及び図３を用いて説明する。図２は、実施の形態１に係る電球形ランプの側面図である。また、図３は、実施の形態１に係る電球形ランプの断面図である。
【００２８】
図２に示すように、実施の形態１に係る電球形ランプ１は、電球形蛍光灯又は白熱電球の代替品となる電球形ＬＥＤランプであって、グローブ１０と筐体６０と口金７０とによって外囲器が構成されている。
【００２９】
図３に示すように、電球形ランプ１は、グローブ１０と、ＬＥＤモジュール２０と、ＬＥＤモジュール２０を支持する支持台３０と、ＬＥＤモジュール２０（ＬＥＤ２２）を駆動する駆動回路４０と、駆動回路４０を保持する回路ホルダ５０と、駆動回路４０を囲むように構成された筐体６０と、外部から電力を受電する口金７０とを備える。
【００３０】
なお、図３において、紙面上下方向に沿って描かれた一点鎖線は電球形ランプのランプ軸Ｊ（中心軸）を示しており、実施の形態１において、ランプ軸Ｊは、グローブ軸と一致している。また、ランプ軸Ｊとは、電球形ランプ１を照明装置（不図示）のソケットに取り付ける際の回転中心となる軸であり、口金７０の回転軸と一致している。
【００３１】
（グローブ）
図３に示すように、グローブ１０は、ＬＥＤモジュール２０を覆う透光性カバーであって、ＬＥＤモジュール２０から放出される光をランプ外部に取り出すように構成されている。したがって、グローブ１０の内面に入射したＬＥＤモジュール２０の光は、グローブ１０を透過してグローブ１０の外部へと取り出される。
【００３２】
グローブ１０は、開口部を有する中空の回転体であり、実施の形態１では、開口部が絞られた略半球状に構成されている。図３に示すように、グローブ１０の開口部は支持台３０に当接している。開口部と支持台３０と筐体６０とは、シリコーン樹脂等の接着剤（不図示）によって固着される。
【００３３】
グローブ１０は、内部のＬＥＤモジュール２０を視認できるように透明であってもよく、また、グローブ１０に光拡散機能を持たせて透明でなくてもよい。グローブ１０に光拡散機能を持たせる場合、例えば、シリカや炭酸カルシウム等の光拡散材を含有する樹脂や白色顔料等をグローブ１０の内面又は外面の全面に塗布することによって乳白色の光拡散膜を形成すればよい。
【００３４】
グローブ１０の材質としては、シリカガラス等のガラス材、又は、アクリル（ＰＭＭＡ）やポリカーボネート（ＰＣ）等の樹脂材等を用いることができる。なお、グローブ１０の形状としては、白熱電球と同様のものを用いてもよい。
【００３５】
（ＬＥＤモジュール）
ＬＥＤモジュール２０は、発光素子を有する発光モジュールであって、白色等の所定の色（波長）の光を放出する。図３に示すように、ＬＥＤモジュール２０は、支持台３０に載置されており、駆動回路４０から供給される電力によって発光する。
【００３６】
図３に示すように、ＬＥＤモジュール２０は、基板２１と、基板２１に実装されたＬＥＤ２２とを備える。実施の形態１におけるＬＥＤモジュール２０は、ＳＭＤ（Ｓｕｒｆａｃｅ  Ｍｏｕｎｔ  Ｄｅｖｉｃｅ）型のＬＥＤ２２を用いて構成されている。
【００３７】
基板２１は、ＬＥＤ２２を実装するための実装基板である。基板２１は、例えば、アルミナ等のセラミックスからなるセラミックス基板、樹脂基板又はメタルベース基板であり、平面視形状が略矩形又は円形の板状基板を用いることができる。
【００３８】
基板２１は、裏面が支持台３０の表面と面接触するようにして支持台３０に取り付けられる。なお、図示されていないが、基板２１の表面には、複数の電極端子が設けられ、電極端子の各々には、駆動回路４０から導出されるリード線が半田接続される。また、基板２１の表面には、電極端子と複数のＬＥＤ２２とを電気的に接続するための金属配線がパターン形成されている。
【００３９】
各ＬＥＤ２２は、発光素子の一例であって、所定の電力により発光する。実施の形態１におけるＬＥＤ２２は、ＳＭＤ型の発光素子であり、例えば、凹部を有する樹脂製の容器と、凹部の中に実装されたＬＥＤチップと、凹部内に封入された封止部材（蛍光体含有樹脂）とを備える。
【００４０】
ＬＥＤチップとしては、例えば、通電されれば青色光を発する青色ＬＥＤチップを用いることができる。この場合、封止部材としては、ＹＡＧ系の黄色蛍光体粒子が含有されたシリコーン樹脂を用いることができる。これにより、ＬＥＤチップが発した青色光の一部は封止部材に含まれる黄色蛍光体粒子によって黄色光に波長変換され、黄色蛍光体粒子に吸収されなかった青色光と黄色蛍光体粒子によって波長変換された黄色光とが混ざって白色光となって出射される。
【００４１】
（支持台）
支持台３０（モジュールプレート）は、ＬＥＤモジュール２０を支持する支持部材であり、ＬＥＤモジュール２０が載置される。また、支持台３０は、グローブ１０の開口部を塞ぐように構成されている。支持台３０は、ＬＥＤモジュール２０（ＬＥＤ２２）で発生する熱を放熱させるための放熱部材（ヒートシンク）としても機能する。なお、効率良く熱伝導させるために、支持台３０は、アルミニウム（Ａｌ）、銅（Ｃｕ）又は鉄（Ｆｅ）等を主成分とする金属材料又は熱伝導率の高い樹脂材料によって構成することが好ましい。実施の形態１において、支持台３０は、アルミニウムによって構成されている。支持台３０は、筐体６０に固定される。
【００４２】
（駆動回路）
駆動回路（回路ユニット）４０は、ＬＥＤモジュール２０（ＬＥＤ２２）を発光（点灯）させるための点灯回路であって、ＬＥＤモジュール２０に所定の電力を供給する。駆動回路４０は、例えば、口金７０から供給される交流電力を直流電力に変換し、当該直流電力をＬＥＤモジュール２０に供給する。
【００４３】
駆動回路４０は、ＬＥＤモジュールを駆動させるための複数の回路素子（不図示）によって構成され、回路基板４１の主面上に設けられる。なお、以下の説明では、回路素子を回路部品とも記載する。
【００４４】
回路基板４１は、一方の面（半田面）に銅箔等の金属配線がパターニングされたプリント基板（ＰＣＢ基板）である。回路基板４１に実装された複数の回路素子は、金属配線によって互いに電気的に接続されている。また、回路基板４１には、回路素子のリード線（脚）が挿入される貫通孔が複数形成されている。
【００４５】
実施の形態１において、回路基板４１は、当該回路基板４１の主面の法線がランプ軸Ｊと略直交する姿勢（縦置き配置）で回路ホルダ５０に取り付けられている。なお、実施の形態１における回路基板４１は、回路ホルダ５０にのみ接触しており、回路ホルダ５０によってのみ保持されている。
【００４６】
回路素子（回路部品）は、例えば、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。回路素子の多くは、回路基板４１の一方の主面に実装されている。なお、駆動回路の回路構成の詳細については、後述する。
【００４７】
駆動回路４０とＬＥＤモジュール２０とは、一対のリード線（出力側リード線）によって電気的に接続されている。また、駆動回路４０と口金７０とは、一対のリード線（入力側リード線）によって電気的に接続されている。これら４本のリード線は、例えば合金銅リード線であり、合金銅からなる芯線と当該芯線を被覆する絶縁性の樹脂被膜とからなる。
【００４８】
（回路ホルダ）
回路ホルダ５０は、駆動回路４０を保持するための保持部材であり、少なくとも一部が支持台３０と駆動回路４０との間に配置されるように構成されている。回路ホルダ５０は、筐体６０に固定されている。
【００４９】
実施の形態１における回路ホルダ５０は、キャップ状の絶縁部材（絶縁キャップ部材）によって構成される。回路ホルダ５０は、例えば、ポリブチレンテレフタレート（ＰＢＴ）等の絶縁性樹脂材料等を用いて、樹脂成型によって一体成形されている。
【００５０】
（筐体）
図３に示すように、筐体６０は、駆動回路４０、支持台３０及び回路ホルダ５０を囲むように構成されており、筐体６０の内部に所定の空間領域が存在する。実施の形態１における筐体６０は、外郭部材（外郭筐体）であり、筐体６０の外面はランプ外部（大気中）に露出している。６０は、例えばＰＢＴ等の絶縁性樹脂材料等を用いて、樹脂成型によって一体成形されている。
【００５１】
（口金）
口金７０は、ＬＥＤモジュール２０（ＬＥＤ２２）を発光させるための電力をランプ外部から受電する受電部である。口金７０は、例えば、照明器具のソケットに取り付けられる。これにより、口金７０は、電球形ランプ１を点灯させる際に、照明器具のソケットから電力を受けることができる。口金７０には、例えば商用の交流電力が供給される。実施の形態１における口金７０は二接点によって交流電力を受電し、口金７０で受電した電力は、一対の入力側リード線を介して駆動回路４０の電力入力部に入力される。
【００５２】
口金７０は、金属製の有底筒体形状であって、例えば、外周面が雄ネジとなっているシェル部と、シェル部に絶縁部を介して装着されるアイレット部とによって構成することができる。口金７０の外周面には、照明器具のソケットに螺合させるための螺合部が形成されている。また、口金７０の内周面には、筐体６０の螺合部に螺合させるための螺合部が形成されている。
【００５３】
口金７０の種類は、特に限定されるものではないが、実施の形態１では、ねじ込み型のエジソンタイプ（Ｅ型）の口金を用いている。例えば、口金７０として、Ｅ２７形等が挙げられる。
【００５４】
（駆動回路の回路構成）
次に、実施の形態１に係る駆動回路４０の回路構成について、図４を用いて説明する。図４は、実施の形態１に係る駆動回路４０の回路構成を示す図である。
【００５５】
図４に示すように、実施の形態１に係る駆動回路４０は、ＬＥＤ２２を点灯させるためのＬＥＤ用駆動回路（ＬＥＤ点灯回路）であって、第１の整流回路１１０と、インバータ１２０と、インバータ制御回路１３０と、第２の整流回路１４０と、誤作動防止回路１５０とを備える。なお、同図には、駆動回路４０に商用電源を供給するＡＣ電源と、スイッチ回路１６０と、駆動回路４０から直流電源が供給されるＬＥＤ２２も示されている。
【００５６】
駆動回路４０は、交流電圧の入力を受けるための入力端子Ｐ１及びＰ２を有している。入力端子Ｐ１及びＰ２は、ＡＣ電源に接続されるとともに、第１の整流回路１１０の入力端に接続されている。例えば、駆動回路４０の入力端子Ｐ１及びＰ２には、壁スイッチを通じて商用の交流電源が接続される。なお、商用の交流電源とは、商用１００Ｖの交流電源、つまり家庭用のＡＣ電源である。また、入力端子Ｐ１及びＰ２は、例えば、交流電源が供給されるソケットに取り付けられる、図２及び図３に示した電球形ランプ１の口金７０等である。
【００５７】
また、駆動回路４０は、直流電圧を出力するための出力端子Ｐ３及びＰ４を有している。出力端子Ｐ３及びＰ４は、ＬＥＤ２２に接続されるとともに、第２の整流回路１４０の出力端に接続されている。高電位側の出力端子Ｐ３は、ＬＥＤ２２のアノード側に接続されており、低電位側の出力端子Ｐ４は、ＬＥＤ２２のカソード側に接続されている。ＬＥＤ２２は、駆動回路４０から供給される直流電圧によって点灯する。なお、実施の形態１において、ＬＥＤ２２と並列にコンデンサＣ９及び抵抗器Ｒ１３が接続されている。
【００５８】
以下、実施の形態１に係る駆動回路４０の各構成要素について、詳細に説明する。
【００５９】
まず、第１の整流回路１１０について説明する。第１の整流回路１１０（ＤＢ１）は、４つのダイオードで構成されるブリッジ型全波整流回路であって、入力側の２端子は入力端子Ｐ１及びＰ２を介してＡＣ電源に接続され、出力側の２端子は平滑コンデンサＣ１及びＣ２等に接続されている。なお、平滑コンデンサＣ１及びＣ２は、第１の整流回路１１０の出力電圧を安定化させるために設けられており、例えば、電解コンデンサである。なお、ここでは、２つの平滑コンデンサＣ１及びＣ２が用いられている例を示すが、一つの平滑コンデンサが、第１の整流回路１１０の２つの出力側の端子の間に接続されていてもよい。
【００６０】
ＡＣ電源と第１の整流回路１１０とを接続する配線には、電流ヒューズ素子ＦＳ（１５Ω）が直列に挿入されている。また、ＡＣ電源と第１の整流回路１１０とを接続する配線には、スイッチ回路１６０が直列に挿入されている。また、第１の整流回路１１０の電圧出力端の負極とインバータ制御回路１３０とを接続する配線には、スイッチングノイズを除去するノイズフィルタＮＦ（１ｍＨ）が挿入されている。
【００６１】
第１の整流回路１１０は、例えば壁スイッチを通じて、商用の交流電源から交流電圧（例えば、５０又は６０Ｈｚ）を受けて、当該交流電圧を全波整流して直流電圧を出力する。第１の整流回路１１０から出力される直流電圧は、平滑コンデンサＣ１及びＣ２によって平滑化されて直流の入力電圧Ｖｉｎとなる。入力電圧Ｖｉｎは、インバータ１２０及びインバータ制御回路１３０に供給される。
【００６２】
スイッチ回路１６０は、スイッチＳ１と、補助ＬＥＤ２３とを備える。
【００６３】
スイッチＳ１は、壁スイッチがＯＮのときにＯＮとなり、壁スイッチがＯＦＦのときにＯＦＦとなるスイッチである。すなわち、スイッチＳ１は、電球形ランプ１の点灯時にＯＮとなり、消灯時にＯＦＦとなるスイッチである。スイッチＳ１は、具体的には、例えば、半導体スイッチである。
【００６４】
補助ＬＥＤ２３は、壁スイッチ部分に設けられるＬＥＤである。補助ＬＥＤ２３は、電球形ランプ１の点灯時には、スイッチＳ１がＯＮとなるため発光しないが、電球形ランプ１の消灯時には、スイッチＳ１がＯＦＦとなるため発光する。
【００６５】
すなわち、スイッチ回路１６０（スイッチＳ１及び補助ＬＥＤ２３）は、電球形ランプ１が消灯して室内が暗いときに、壁スイッチ付近を照らすために発光する、いわゆるホタルスイッチである。なお、図４においてスイッチ回路１６０の回路図は模式的に示され、必ずしも正確に図示されていない。
【００６６】
次に、インバータ１２０について説明する。インバータ１２０（ＩＮＶ）は、ＬＥＤ２２を駆動するための電力を出力する。実施の形態１では、インバータ１２０は、直流電圧を交流電圧に変換する。例えば、インバータ１２０は、直流電圧を数十ｋＨｚの交流電圧に変換する。
【００６７】
このインバータ１２０は、スイッチング素子Ｑ１と、スイッチング素子Ｑ１に直列に接続されたスイッチング素子Ｑ２と、カレントトランスＣＴと、インダクタＬ１と、コンデンサＣ５、Ｃ６及びＣ８と、抵抗器Ｒ５、Ｒ６、Ｒ７及びＲ８と、ダイオードＤ２及びＤ３とを備える。
【００６８】
実施の形態１において、インバータ１２０は、ハーフブリッジ形の自励インバータであって、交互にスイッチング動作を行うスイッチング素子Ｑ１とスイッチング素子Ｑ２とからなる直列回路が第１の整流回路１１０に接続されて構成されている。また、実施の形態１において、スイッチング素子Ｑ１及びスイッチング素子Ｑ２は、バイポーラ形トランジスタである。なお、実施の形態１において、自励インバータとは、カレントトランス及び複数のスイッチング素子を用いて、フィードバックのかかるインバータをいう。
【００６９】
スイッチング素子Ｑ１のコレクタは、第１の整流回路１１０の直流電圧出力端の正極及びコンデンサＣ５に接続されている。スイッチング素子Ｑ１のエミッタは、抵抗器Ｒ５を介して、スイッチング素子Ｑ２のコレクタ及びカレントトランスＣＴのコイルに接続されている。また、スイッチング素子Ｑ１のベースは、抵抗器Ｒ７を介してカレントトランスＣＴのコイルに接続されている。
【００７０】
スイッチング素子Ｑ２のコレクタは、抵抗器Ｒ５を介してスイッチング素子Ｑ１のエミッタ及びカレントトランスＣＴのコイルに接続されている。スイッチング素子Ｑ２のエミッタは、抵抗器Ｒ６を介して、第１の整流回路１１０の直流電圧出力端の負極と、カレントトランスＣＴのコイルと、コンデンサＣ６及びＣ８とに接続されている。また、スイッチング素子Ｑ２のベースは、抵抗器Ｒ８を介してカレントトランスＣＴのコイルに接続されている。
【００７１】
カレントトランスＣＴ（駆動トランス）は、一次巻線（入力巻線）及び二次巻線（出力巻線）からなる巻線コイルによって構成されている。
【００７２】
インダクタＬ１は、チョークインダクタであって、一端がカレントトランスＣＴの出力側に接続されており、他端が第２の整流回路１４０の入力側に接続されている。また、コンデンサＣ５は、一端が第１の整流回路１１０の直流電圧出力端の正極に接続され、他端が第２の整流回路１４０の入力側に接続されている。コンデンサＣ６は、一端が第１の整流回路１１０の直流電圧出力端の負極に接続され、他端が第２の整流回路１４０の入力側に接続されている。コンデンサＣ８は、一端が第１の整流回路１１０の直流電圧出力端の負極に接続され、他端がインダクタＬ１の他端に接続されている。
【００７３】
ダイオードＤ２は、カソードが第１の整流回路１１０の直流電圧出力端の正極及びコンデンサＣ５に接続され、アノードがカレントトランスＣＴのコイルと、抵抗器Ｒ５を介してスイッチング素子Ｑ１のエミッタとに接続されている。ダイオードＤ３は、カソードがカレントトランスＣＴのコイルに接続され、アノードが第１の整流回路１１０の直流電圧出力端の負極と、抵抗器Ｒ６を介してスイッチング素子Ｑ２のエミッタと、カレントトランスＣＴのコイルと、コンデンサＣ６及びＣ８とに接続されている。
【００７４】
このように構成されるインバータ１２０は、スイッチング素子Ｑ１及びスイッチング素子Ｑ２の直列回路の両端間に（インバータ１２０の入力端に）所定の入力電圧Ｖｉｎが印加されるとともに、インバータ制御回路１３０から起動制御信号（トリガ信号）が供給されることによって動作する。具体的には、カレントトランスＣＴの誘起に基づく自励発振によってスイッチング素子Ｑ１とスイッチング素子Ｑ２とが交互にオンオフ動作を行うことにより、インダクタＬ１とコンデンサＣ８との直列共振による交流の二次電圧が誘起され、この電圧が第２の整流回路１４０に供給される。
【００７５】
次に、インバータ１２０を起動するためのインバータ制御回路１３０について説明する。インバータ制御回路１３０（ＴＲＧ）は、インバータ１２０を起動するように構成されている。実施の形態１において、インバータ制御回路１３０は、インバータ１２０の動作を開始した後、停止する。インバータ制御回路１３０により動作を開始したインバータ１２０は、カレントトランスＣＴとインバータ１２０を構成する各素子により動作を維持する。具体的には、磁気飽和カレントトランスであるカレントトランスＣＴが、スイッチング素子Ｑ１及びスイッチング素子Ｑ２のオンオフに応じて磁気飽和することにより、スイッチング素子Ｑ１及びスイッチング素子Ｑ２を制御する。よって、インバータ１２０は、インバータ制御回路１３０により動作を開始した後、当該動作を維持する。
【００７６】
インバータ制御回路１３０は、抵抗器Ｒ２と、当該抵抗器Ｒ２に直列に接続されたコンデンサＣ３と、抵抗器Ｒ２とコンデンサＣ３との接続点に接続されたトリガダイオードＴＤとを有する。
【００７７】
抵抗器Ｒ２は、第１の整流回路１１０の直流電圧出力端の正極に接続されるとともに、コンデンサＣ３を介して第１の整流回路１１０の直流電圧出力端の負極に接続されている。コンデンサＣ３は、トリガダイオードＴＤの導通を制御するためのコンデンサであって、高電位側が抵抗器Ｒ２に接続され、低電位側が第１の整流回路１１０の直流電圧出力端の負極に接続されている。なお、以下では、第１の整流回路１１０の直流電圧出力端の正極を第１の整流回路１１０の正の出力端子と記載し、第１の整流回路１１０の直流電圧出力端の負極を第１の整流回路１１０の負の出力端子と記載する場合がある。
【００７８】
また、トリガダイオードＴＤは、トリガ素子であって、規定の電圧（動作電圧、ブレークオーバー電圧）を超える電圧がかかった場合に導通してコンデンサＣ３の電荷をスイッチング素子Ｑ２のベースに放電して短時間スイッチ素子Ｑ２をオンさせる。実施の形態１では、トリガダイオードＴＤは、コンデンサＣ３に保持される電圧値によってブレークオーバーして導通状態となる。そして、トリガダイオードＴＤは、インバータ１２０の制御端子であるスイッチング素子Ｑ２のベースに接続されており、トリガダイオードＴＤが導通状態となることによってインバータ１２０の動作が開始する。
【００７９】
すなわち、スイッチング素子Ｑ２がインバータ制御回路１３０によってオンすることにより初めてインバータ１２０に電流が流れ始める。スイッチング素子Ｑ２がターンオンのときに流れた負荷電流によって、カレントトランスＣＴの二次コイルに電圧が誘起され、スイッチング素子Ｑ２がオンを維持するとともにスイッチング素子Ｑ１のオフを維持する。
【００８０】
スイッチング素子Ｑ２がオンを維持しているときには、第１の整流回路１１０の高電位側直流電圧出力端からノイズフィルタＮＦ、コンデンサＣ５、第２の整流回路１４０、ＬＥＤ２２、インダクタＬ１、カレントトランスＣＴの１次巻線、スイッチング素子Ｑ２、及び、抵抗器Ｒ６を介して、インダクタＬ１で制限された電流が流れる。この電流によってカレントトランスＣＴのコアが磁気飽和し、その２次巻線出力電圧がゼロになる。そのため、スイッチング素子Ｑ２のベース・エミッタ間蓄積電荷が放電する。この蓄積電荷がなくなると、スイッチング素子Ｑ２がターンオフする。
【００８１】
スイッチング素子Ｑ２がターンオフすると、インダクタＬ１に流れていた電流によってインダクタＬ１に蓄積されていたエネルギーがダイオードＤ２を介してＣ５とＬＥＤ２２に放電される。その放電電流によって、カレントトランスＣＴの磁気飽和は解除され、また、カレントトランスＣＴのスイッチング素子Ｑ１側２次巻線にスイッチング素子Ｑ１のベース電位を正にする電圧が発生するとともに、カレントトランスＣＴのスイッチング素子Ｑ２側２次巻線にスイッチング素子Ｑ２のベースを負にする電圧が発生する。
【００８２】
インダクタＬ１の蓄積エネルギーがなくなると、ダイオードＤ２に流れる電流がなくなるとともに、コンデンサＣ５及びＣ６の蓄積エネルギーがスイッチング素子Ｑ１を介して放電する。また、第１の整流回路１１０の高電位側直流電圧出力端から、ノイズフィルタＮＦと、スイッチング素子Ｑ１と、カレントトランスＣＴと、インダクタＬ１と、コンデンサＣ８、ＬＥＤ２２及びコンデンサＣ６とを介して、第１の整流回路１１０の低電位側直流電圧出力端に電流が流れる。
【００８３】
この電流により、インダクタＬ１及びコンデンサＣ８にエネルギーが蓄積されるとともに、カレントトランスＣＴの２次巻線にスイッチング素子Ｑ１をオンに維持し、スイッチング素子Ｑ２をオフに維持する電圧が発生する。
【００８４】
その後、カレントトランスＣＴの磁気飽和が発生すると、スイッチング素子Ｑ１の蓄積電荷が放電される。この放電が終わると、スイッチング素子Ｑ１がターンオフする。スイッチング素子Ｑ１がターンオフした瞬間のインダクタＬ１の蓄積エネルギーは、カレントトランスＣＴ、ダイオードＤ３、コンデンサＣ８、及び、ＬＥＤ２２と、コンデンサＣ６、Ｃ５とを介して放電されるとともに、カレントトランスＣＴの磁気飽和を解除し、スイッチング素子Ｑ２のベースを正に、スイッチング素子Ｑ１のベースを負にする電圧を発生させる。そして、インダクタＬ１の蓄積エネルギーがなくなると、以後、上記のように、スイッチング素子Ｑ１とスイッチング素子Ｑ２とが交互にオンオフを繰り返すとともに、インダクタＬ１とコンデンサＣ８との直列共振を発生させ、発振を維持する定常動作となる。
【００８５】
なお、トリガダイオードＴＤとしては、例えば、電圧ブレークオーバーが２８〜３６Ｖのダイアックを用いることができる。
【００８６】
このように、インバータ制御回路１３０は、インバータ１２０を起動するための回路であって、抵抗器Ｒ２によりコンデンサＣ３の両端にかかる電圧を調整する回路と、コンデンサＣ３の電圧値によってブレークオーバーするトリガダイオードＴＤとを有する。そして、インバータ制御回路１３０からインバータ１２０に対してトリガ信号が入力されることによって、インバータ１２０の自励発振が開始する。
【００８７】
さらに、実施の形態１において、インバータ制御回路１３０は、抵抗器Ｒ２と並列接続されたダイオードＤ１を有する。ダイオードＤ１は、整流用ダイオードであって、ダイオードＤ１のアノード側は、抵抗器Ｒ２とコンデンサＣ３との接続点、及び、トリガダイオードＴＤに接続されている。また、ダイオードＤ１のカソード側は、インバータ１２０におけるスイッチング素子Ｑ１（エミッタ）とスイッチング素子Ｑ２（コレクタ）との接続点、及び、コンデンサＣ４に接続されている。なお、コンデンサＣ４は、高電位側が第１の整流回路１１０の直流電圧出力端の正極及びスイッチング素子Ｑ１のコレクタに接続されており、低電位側がダイオードＤ１のカソードに接続されている。コンデンサＣ４は、スナバコンデンサであり、スイッチング素子Ｑ１及びＱ２の電圧変化スピードを遅くして、スイッチング損失を少なくするために適宜用いられる。
【００８８】
次に、第２の整流回路１４０について説明する。第２の整流回路１４０（ＤＢ２）は、第１の整流回路１１０と同様に、４つのダイオードで構成されるブリッジ型全波整流回路であって、入力側の２つの端子はインバータ１２０の出力側の２つの端子に接続され、出力側の２つの端子については高電位側が出力端子Ｐ３を介してＬＥＤ２２のアノード側に接続され、低電位側が出力端子Ｐ４を介してＬＥＤ２２のカソード側に接続されている。
【００８９】
第２の整流回路１４０は、インバータ１２０からの交流電圧を受けて、この交流電圧を全波整流した電圧を出力し、当該電圧をＬＥＤ２２に供給する。
【００９０】
なお、第２の整流回路１４０としては、例えば、２つのショットキーダイオードが直列接続された半導体部品を２つ組み合わせることによって構成することができる。また、この第２の整流回路１４０は、インダクタＬ１に２つに分割した２次巻線を設けて、その出力に１つずつ設けられたスタック構成にしてもよい。
【００９１】
次に、実施の形態１に係る駆動回路４０の特徴構成である、誤作動防止回路１５０について説明する。
【００９２】
誤作動防止回路１５０は、インバータ制御回路１３０と並列に、第１の整流回路１１０の正の出力端子及び負の出力端子の間に接続される。
【００９３】
誤作動防止回路１５０は、抵抗器Ｒ３、Ｒ９、Ｒ１０、Ｒ１１、及びＲ１２と、スイッチング素子Ｑ３（第２のスイッチング素子）と、スイッチング素子Ｑ４（第１のスイッチング素子）とを備える。
【００９４】
スイッチング素子Ｑ３は、バイポーラ形のトランジスタである。スイッチング素子Ｑ３のエミッタは、第１の整流回路１１０の負の出力端子に接続される。スイッチング素子Ｑ３のベースは、抵抗器Ｒ１０の他端及びスイッチング素子Ｑ４のコレクタに接続される。スイッチング素子Ｑ３のコレクタは、抵抗器Ｒ３の他端に接続される。
【００９５】
抵抗器Ｒ３の一端は、第１の整流回路１１０の正の出力端子に接続され、抵抗器Ｒ３の他端は、スイッチング素子Ｑ３のコレクタに接続される。
【００９６】
抵抗器Ｒ３と、スイッチング素子Ｑ３とは、第２の電流パスを構成する。言い換えれば、第２の電流パスは、抵抗器Ｒ３を有し、一端が第１の整流回路１１０の正の出力端子に接続され、他端が第１の整流回路１１０の負の出力端子に接続される。ここで、第２の電流パスは、第１の整流回路１１０の正の出力端子から負の出力端子へ向かう電流経路である。
【００９７】
スイッチング素子Ｑ４は、バイポーラ形のトランジスタである。スイッチング素子Ｑ４のエミッタは、第１の整流回路１１０の負の出力端子に接続される。スイッチング素子Ｑ４のベースは、抵抗器Ｒ１１と抵抗器Ｒ１２との接続点（抵抗器Ｒ１１の他端及び抵抗器Ｒ１２の一端）に接続される。スイッチング素子Ｑ４のコレクタは、抵抗器Ｒ１０の他端及びスイッチング素子Ｑ３のベースに接続される。
【００９８】
抵抗器Ｒ９の一端は、第１の整流回路１１０の正の出力端子に接続され、抵抗器Ｒ９の他端は、抵抗器Ｒ１０の一端及び抵抗器Ｒ１１の一端に接続される。
【００９９】
抵抗器Ｒ１０の一端は、抵抗器Ｒ９の他端に接続され、抵抗器Ｒ１０の他端は、スイッチング素子Ｑ３のベース及びスイッチング素子Ｑ４のコレクタに接続される。
【０１００】
抵抗器Ｒ１１の一端は、抵抗器Ｒ９と抵抗器Ｒ１０の接続点（抵抗器Ｒ９の他端及び抵抗器Ｒ１０の一端）に接続され、抵抗器Ｒ１１の他端は、抵抗器Ｒ１２の一端及びスイッチング素子Ｑ４のベースに接続される。
【０１０１】
抵抗器Ｒ１２の一端は、抵抗器Ｒ１１の他端及びスイッチング素子Ｑ４のベースに接続され、抵抗器Ｒ１２の他端は、第１の整流回路１１０の負の出力端子に接続される。
【０１０２】
抵抗器Ｒ９及びＲ１０と、スイッチング素子Ｑ４とは、第１の電流パスを構成する。言い換えれば、第１の電流パスは、抵抗器Ｒ９及びＲ１０と、スイッチング素子Ｑ４とを有し、一端が第１の整流回路１１０の正の出力端子に接続され、他端が第１の整流回路１１０の負の出力端子に接続される。つまり、第１の電流パスは、第１の整流回路１１０の正の出力端子から負の出力端子へ向かう電流経路であって、第２の電流パスとは異なる電流経路である。
【０１０３】
なお、実施の形態１では、抵抗器Ｒ２の抵抗値は、１ＭΩであり、抵抗器Ｒ３の抵抗値は、３６ｋΩである。また、実施の形態１では、抵抗器Ｒ９の抵抗値は、４７０ｋΩであり、抵抗器Ｒ１０の抵抗値は、５６０ｋΩであり、抵抗器Ｒ１１の抵抗値は、８２０ｋΩであり、抵抗器Ｒ１２の抵抗値は、１５ｋΩである。
【０１０４】
以上のようにして、実施の形態１に係る駆動回路４０が構成されている。
【０１０５】
なお、第１の整流回路１１０は、直流電源回路に相当する。インバータ制御回路１３０は、制御回路に相当する。また、スイッチング素子Ｑ４は、第１のスイッチング素子に相当し、スイッチング素子Ｑ３は、第２のスイッチング素子に相当する。
【０１０６】
抵抗器Ｒ３は、第２の抵抗に相当し、抵抗器Ｒ９は、第１の抵抗に相当する。抵抗器Ｒ１０は、第３の抵抗に相当し、抵抗器Ｒ１１は、第４の抵抗に相当し、抵抗器Ｒ１２は、第５の抵抗に相当する。
【０１０７】
また、図４の回路図では、駆動回路４０により、発光素子の一例である１つのＬＥＤ２２が点灯するが、発光素子として複数のＬＥＤ２２が設けられてもよい。この場合、複数のＬＥＤ２２は、直列接続されてもよいし、並列接続されてもよいし、あるいは、複数のＬＥＤ２２は、直列接続と並列接続とを組み合わせて構成されてもよい。
【０１０８】
（回路動作）
次に、実施の形態１に係る駆動回路４０の動作について説明する。
【０１０９】
例えば、ＬＥＤ２２を点灯させるためにユーザが壁スイッチをオン操作すると、入力端子Ｐ１及びＰ２に交流電源が供給され、第１の整流回路１１０により平滑化された直流の入力電圧Ｖｉｎが生成される。入力電圧Ｖｉｎは、インバータ１２０の入力端間、及び、インバータ制御回路１３０の入力端間に供給される。なお、このとき、スイッチＳ１は、ＯＮ状態である。
【０１１０】
これにより、インバータ制御回路１３０及びインバータ１２０が動作する。すなわち、入力電圧Ｖｉｎがインバータ制御回路１３０に供給されることにより、インバータ制御回路１３０のコンデンサＣ３が充電されて、トリガダイオードＴＤがブレークオーバーする。この結果、トリガダイオードＴＤが導通状態となり、トリガ信号（トリガパルス）がインバータ１２０のスイッチング素子Ｑ２のベースに供給され、当該スイッチング素子Ｑ２がオンする。
【０１１１】
トリガ信号によってスイッチング素子Ｑ２がオンすると、インバータ１２０が起動し、カレントトランスＣＴの誘起に基づく自励発振によりスイッチング素子Ｑ１及びスイッチング素子Ｑ２が交互にオンオフ動作を行い、交流の二次電圧が誘起される。これにより、当該二次電圧がインダクタＬ１とコンデンサＣ８との直列共振により高められた交流電圧が第２の整流回路１４０に供給される。そして、第２の整流回路１４０によって交流電圧が全波整流され、出力端子Ｐ３及びＰ４を介して所定の直流電圧（順方向電圧ＶＦ）がＬＥＤ２２に供給される。これにより、ＬＥＤ２２が所望の明るさで点灯する。
【０１１２】
次に、ＬＥＤ２２を消灯させるためにユーザが壁スイッチをオフ操作すると、入力端子Ｐ１及びＰ２への交流電源の供給が停止するのでＬＥＤ２２は消灯する。このとき、スイッチＳ１は、ＯＦＦ状態であり、壁スイッチに設けられた補助ＬＥＤ２３は、発光して壁スイッチ付近を照らす。
【０１１３】
（誤作動防止回路の動作）
次に、実施の形態１に係る駆動回路４０の特徴構成である誤作動防止回路１５０の動作について説明する。
【０１１４】
なお、以下の説明では、「誤作動防止回路１５０の抵抗値」とは、駆動回路４０から誤作動防止回路１５０のみを取り出したときに、誤作動防止回路１５０の、第１の整流回路１１０の正の出力端子に接続される端から、第１の整流回路１１０の負の出力端子に接続される端までの抵抗値を意味する。
【０１１５】
また、以下の説明では、「インバータ制御回路１３０の抵抗値」とは、駆動回路４０からインバータ制御回路１３０のみを取り出したときに、インバータ制御回路１３０の、第１の整流回路１１０の正の出力端子に接続される端から、第１の整流回路１１０の負の出力端子に接続される端までの抵抗値（抵抗成分）を意味する。つまり、実施の形態１では、インバータ制御回路１３０の抵抗値は、抵抗器Ｒ２の抵抗値である１ＭΩである。
【０１１６】
まず、ＬＥＤ２２の点灯時の動作について説明する。
【０１１７】
図５は、ＬＥＤ２２の点灯時における誤作動防止回路１５０の動作を説明するための図である。
【０１１８】
上述のように、ＬＥＤ２２の点灯時には、第１の整流回路１１０によって入力電圧Ｖｉｎが、誤作動防止回路１５０の両端及び、インバータ制御回路１３０の入力端間に供給される。なお、実施の形態１では、入力電圧Ｖｉｎは、１４０Ｖである。
【０１１９】
このとき、図５の（ａ）に示されるように、スイッチング素子Ｑ４のエミッタ−ベース間の電圧、すなわち抵抗器Ｒ１２の両端の電圧は、１４０Ｖが抵抗器Ｒ９（４７０ｋΩ）、Ｒ１１（８２０ｋΩ）、及びＲ１２（１５ｋΩ）によって分圧されるため、約１．６Ｖとなる。
【０１２０】
これにより、スイッチング素子Ｑ４のエミッタ−ベース間の電圧が閾値電圧０．６Ｖを越えるため、スイッチング素子Ｑ４はＯＮ状態となる。一方、スイッチング素子Ｑ３のエミッタ−ベース間の電圧は、ほぼ０Ｖになるので、スイッチング素子Ｑ３はＯＦＦ状態である。
【０１２１】
したがって、図５の（ｂ）に示されるように、ＬＥＤ２２の点灯時には、主に第１の電流パス（抵抗器Ｒ９、抵抗器Ｒ１０、及びスイッチング素子Ｑ４）と、抵抗器Ｒ２に電流が流れる。このときの誤作動防止回路１５０の状態を第１の抵抗状態とすると、第１の抵抗状態における誤作動防止回路１５０の抵抗値は、約８０５ｋΩである。なぜなら、誤作動防止回路１５０の抵抗値とは、図５の（ｂ）の場合は、抵抗器Ｒ１０と、抵抗器Ｒ１１及びＲ１２との並列接続に、抵抗器Ｒ９を直列接続した合成抵抗の抵抗値を意味するからである。
【０１２２】
一方、抵抗器Ｒ２の抵抗値は、１ＭΩであるため、抵抗器Ｒ２には十分に電流が流れ、コンデンサＣ３が充電される。よって、トリガダイオードＴＤがブレークオーバーし、インバータ１２０は、発振を開始する。
【０１２３】
以上説明したように、誤作動防止回路１５０は、ＬＥＤ２２の点灯を妨げない。すなわち、誤作動防止回路１５０は、入力電圧Ｖｉｎが印加された場合に第１の抵抗状態となり、インバータ制御回路１３０を作動させる。この結果、インバータ１２０が動作を開始し、ＬＥＤ２２が発光する。
【０１２４】
なお、図５の例では、誤作動防止回路１５０が第１の抵抗状態であるときの抵抗値（約８０５ｋΩ）は、インバータ制御回路１３０の抵抗値（１ＭΩ）よりも小さい。
【０１２５】
しかしながら、誤作動防止回路１５０が第１の抵抗状態であるときの抵抗値は、インバータ制御回路１３０の抵抗値よりも大きいことが望ましい。これにより、誤作動防止回路１５０において生じる消費電力を低減することができるからである。
【０１２６】
次に、ＬＥＤ２２の消灯時の動作について説明する。
【０１２７】
図６は、ＬＥＤ２２の消灯時における誤作動防止回路１５０の動作を説明するための図である。
【０１２８】
以下では、上述のスイッチＳ１がＯＦＦ状態で、スイッチＳ１から漏れ電流が第１の整流回路１１０に流れ出し、第１の整流回路１１０の出力が通常点灯時の１４０Ｖよりも低い３０Ｖとなる場合について説明する。
【０１２９】
図６の（ａ）に示されるように、上記漏れ電流の影響による直流電圧３０Ｖは、抵抗器Ｒ９、Ｒ１１、Ｒ１２によって分圧される。スイッチング素子Ｑ４のエミッタ−ベース間の電圧、すなわち抵抗器Ｒ１２の両端の電圧は、約０．３４Ｖとなり、スイッチング素子Ｑ４の閾値電圧０．６Ｖを越えないため、スイッチング素子Ｑ４はＯＦＦ状態となる。
【０１３０】
一方、図６の（ａ）に示されるように、スイッチング素子Ｑ３のベースには、抵抗器Ｒ１０を介して電流が流れ込むため、スイッチング素子Ｑ３はＯＮ状態になる。
【０１３１】
ここで、抵抗器Ｒ３の抵抗値は、３６ｋΩであり、抵抗器Ｒ２の抵抗値１ＭΩの２０分の１以下の非常に小さい値である。したがって、図６の（ｂ）に示されるように、ＬＥＤ２２の点灯時には、主に第２の電流パス（抵抗器Ｒ３、及びスイッチング素子Ｑ３）に電流が流れる。
【０１３２】
このときの誤作動防止回路１５０の状態を第２の抵抗状態とすると、第２の抵抗状態における誤作動防止回路１５０の抵抗値は、抵抗器Ｒ９、Ｒ１１及びＲ１２との直列接続に、抵抗器Ｒ３を並列接続した合成抵抗の抵抗値であるから、約３５ｋΩであり、インバータ制御回路１３０の抵抗値（抵抗器Ｒ２の抵抗値：１ＭΩ）の２０分の１以下の非常に小さい値である。
【０１３３】
なお、第２の抵抗状態における誤作動防止回路１５０の抵抗値は、第１の抵抗状態における誤作動防止回路１５０の抵抗値（約８０５ｋΩ）よりも小さく、第１の抵抗状態における誤作動防止回路１５０の抵抗値の２０分の１以下である。
【０１３４】
したがって、抵抗器Ｒ２（インバータ制御回路１３０）にはほとんど電流が流れず、コンデンサＣ３に電荷が蓄積されないため、インバータ１２０は発振することなく停止状態が維持される。したがって、ＬＥＤ２２は点灯しない。
【０１３５】
なお、抵抗器Ｒ３の抵抗値は、抵抗器Ｒ２の抵抗値よりも小さいことが望ましいが、抵抗器Ｒ２の抵抗値よりも大きくても、コンデンサＣ３に流れる電流を抑制し、インバータ制御回路を作動させなければよい。
【０１３６】
なお、抵抗器Ｒ１１及び抵抗器Ｒ１２は、第１の整流回路１１０から供給される電圧をモニタし、第１の電流パスを導通させるか、第２の電流パスを導通させるかの制御を行う、制御用電流パスを構成しているといえる。制御用電流パスは、具体的には、抵抗器Ｒ１２の両端に印加される電圧に応じて、第１の電流パスを導通させるか、第２の電流パスを導通させるかの切替制御を行っている。
【０１３７】
以上説明したように、誤作動防止回路１５０は、ＬＥＤ２２の消灯時に、誤作動によるＬＥＤ２２の点灯を防止する。言い換えれば、誤作動防止回路１５０は、入力電圧Ｖｉｎ（１４０Ｖ）よりも小さい所定の電圧（上記の例では、３０Ｖ）が印加された場合に、第１の抵抗状態よりも抵抗値が小さい第２の抵抗状態となる。さらに、誤作動防止回路１５０は、第１の整流回路１１０からインバータ制御回路１３０に供給される電流の少なくとも一部を引き込んでインバータ制御回路１３０を作動させない（作動を停止させる）。
【０１３８】
なお、実施の形態１では、誤作動防止回路１５０が第２の電流パス導通させるための閾値電圧が約５０Ｖに設定されている。言い換えれば、第１の整流回路１１０から供給される電圧が約５０Ｖ以上のときに、スイッチング素子Ｑ４のエミッタ−ベース間に印加される電圧が０．６Ｖ以上になり、スイッチング素子Ｑ４がＯＮ状態となる。つまり、第１の整流回路１１０から供給される電圧が約５０Ｖ以上のときに、誤作動防止回路１５０は、第２の電流パスを非導通にするとともに、第１の電流パスを導通させて第１の抵抗状態となる。
【０１３９】
また、第１の整流回路１１０から供給される電圧が約５０Ｖ未満のときに、スイッチング素子Ｑ４のエミッタ−ベース間に印加される電圧が０．６Ｖ未満になり、スイッチング素子Ｑ３がＯＮ状態となる。つまり、第１の整流回路１１０から供給される電圧が約５０Ｖ未満のとき（入力電圧よりも小さい所定の電圧のとき）に、誤作動防止回路１５０は、第２の電流パスを導通させて第２の抵抗状態となる。
【０１４０】
なお、上記閾値電圧は、５０Ｖに限られるわけではない。閾値電圧は、インバータ制御回路１３０の構成や第１の整流回路（直流電源回路）の特性に応じて設定されることが望ましい。また、閾値電圧は、スイッチ回路１６０等による漏れ電流や微少電流等の流量、及び通常点灯時の入力電圧Ｖｉｎの変動状況等を考慮して設定されることが望ましい。
【０１４１】
以上説明したように、誤作動防止回路１５０によれば、照明用光源の消灯時における誤作動を防止し、照明用光源を確実に消灯させることができる。
【０１４２】
なお、実施の形態１に係る誤作動防止回路１５０では、第２の電流パスが抵抗器Ｒ３を有するが、抵抗器Ｒ３の値を調節することにより、電球形ランプ１の消灯時にスイッチ回路１６０の補助ＬＥＤ２３に流れる電流の量を調整することができる。
【０１４３】
なお、実施の形態１に係る誤作動防止回路１５０は、本発明の誤作動防止回路の一例であり、本発明の誤作動防止回路は、このような構成に限定されるものではない。本発明の誤作動防止回路は、消灯時に制御回路（インバータ制御回路１３０）に所定値未満の入力電圧が供給される場合に低抵抗状態となり、直流電源回路（第１の整流回路１１０）から制御回路に供給される電流の少なくとも一部を引き込んで制御回路を停止させれば、その他の回路構成であってもよい。
【０１４４】
また、誤作動防止回路が適用される、直流電源回路（第１の整流回路１１０）、及び制御回路（インバータ制御回路１３０）についても実施の形態１のような構成に限定されるものではない。
【０１４５】
例えば、直流電源回路は、第１の整流回路１１０のような構成に限定されず、ＡＣ−ＤＣコンバータＩＣなどであってもよい。また、直流電源回路は、その他の回路構成であってもよく、例えば、交流電源を含むような構成であってもよい。
【０１４６】
また、制御回路は、実施の形態１のような回路構成であるときは、インバータ制御回路１３０とインバータ１２０とが含まれるＩＣなどであってもよい。すなわち、制御回路は、インバータ制御回路１３０とインバータ１２０とを備えてもよい。また、制御回路は、その他の回路構成であってもよい。
【０１４７】
（実施の形態２）
また、実施の形態１では、インバータ１２０の一例としてハーフブリッジ形の自励インバータを用いたが、これに限らない。例えば、ハーフブリッジ形以外の構成のインバータを用いても構わない。
【０１４８】
実施の形態２では、他励インバータを用いた駆動回路の例について説明する。
【０１４９】
図７は、実施の形態２に係る駆動回路の回路構成を示す図である。
【０１５０】
図７に示される駆動回路４０ｂは、実施の形態１に係る駆動回路４０と基本的な構成は同じであり、図７において、図４に示す構成要素と同じ構成要素については同じ符号を付しており、その詳しい説明は省略する。
【０１５１】
図７に示す駆動回路４０ｂが、図４に示す駆動回路４０と異なる点は、インバータの構成である。
【０１５２】
駆動回路４０ｂのインバータ１２０ｂは、１つのスイッチング素子Ｑ５と、１つのダイオードＤ４と、インダクタＬ２とを有する。
【０１５３】
スイッチング素子Ｑ５は、バイポーラ形のトランジスタである。スイッチング素子Ｑ５のエミッタは、インダクタＬ２の一端に接続されているとともに、ダイオードＤ４のアノード側に接続されている。さらに、スイッチング素子Ｑ５のエミッタは、インバータ制御回路１３０のダイオードＤ１のカソード側に接続されている。また、第５のスイッチング素子Ｑ５のコレクタは、第１の整流回路１１０の負の出力端子に接続されている。また、スイッチング素子Ｑ５のベースは、インバータ制御回路１３０のトリガダイオードＴＤに接続されている。
【０１５４】
ダイオードＤ４のカソード側は、第１の整流回路１１０の正の出力端子に接続されている。また、ダイオードＤ４のアノード側は、インダクタＬ２とスイッチング素子Ｑ５との接続点に接続されている。
【０１５５】
なお、インダクタＬ２は、一端がスイッチング素子Ｑ５とダイオードＤ４との接続点に接続されており、他端が第２の整流回路１４０の入力側に接続されている。
【０１５６】
このように構成されるインバータ１２０ｂは、第１の整流回路１１０から出力される入力電圧Ｖｉｎが印加されると、インバータ制御回路１３０からの起動制御信号に基づいて動作する。これにより、インバータ１２０ｂから第２の整流回路１４０に交流電圧が供給される。
【０１５７】
次に、駆動回路４０ｂの動作について説明する。
【０１５８】
例えば、ＬＥＤ２２を点灯させるためにユーザが壁スイッチをオン操作すると、実施の形態１と同様に、所定値の入力電圧Ｖｉｎ（１４０Ｖ）が供給され、インバータ制御回路１３０とインバータ１２０ｂが動作する。
【０１５９】
すなわち、インバータ制御回路１３０のコンデンサＣ３が充電されて、トリガダイオードＴＤが導通状態となり、トリガ信号（トリガパルス）がインバータ１２０ｂのスイッチング素子Ｑ５のベースに供給され、スイッチング素子Ｑ５がオン状態となる。
【０１６０】
トリガ信号によってスイッチング素子Ｑ５がオン状態となると、入力電圧Ｖｉｎによって、第２の整流回路１４０、ＬＥＤ２２、第２の整流回路１４０、インダクタＬ２、スイッチング素子Ｑ５の順に電流が流れて、ＬＥＤ２２が点灯する。
【０１６１】
すると、ダイオードＤ１及びスイッチング素子Ｑ５のベースを介してコンデンサＣ３の電荷が放出され、やがてスイッチング素子Ｑ５及びトリガダイオードＴＤがオフ状態となる。そして、インダクタＬ２に蓄えられたエネルギーがダイオードＤ４を介して平滑コンデンサＣ１へ帰還すると同時にコンデンサＣ３を充電し始める。そして、上記の帰還電流が流れきったときに再びトリガダイオードＴＤがオン状態となってスイッチング素子Ｑ５がオンする。なお、スイッチング素子Ｑ５のオン時間を変えるために、コンデンサＣ３とダイオードＤ１の間に抵抗が付加されてもよい。
【０１６２】
次に、ＬＥＤ２２を消灯させるためにユーザが壁スイッチをオフ操作すると、ＬＥＤ２２は消灯する。
【０１６３】
このようなインバータ１２０ｂに対しても、誤作動防止回路１５０の閾値電圧を適切に設定することにより、消灯時の誤作動を防止することができる。
【０１６４】
（実施の形態３）
また、本発明は、実施の形態１及び２のような電球形ランプとして実現することができるだけでなく、電球形ランプを備える照明装置としても実現することができる。以下、実施の形態３では、このような照明装置について、図８を用いて説明する。図８は、実施の形態３に係る照明装置の概略断面図である。
【０１６５】
図８に示すように、実施の形態３に係る照明装置２は、例えば、室内の天井に装着されて使用され、上記の実施の形態１または２に係る電球形ランプ１と、点灯器具３とを備える。
【０１６６】
点灯器具３は、電球形ランプ１を消灯及び点灯させる機能を有し、天井に取り付けられる器具本体４と、電球形ランプ１を覆う透光性のランプカバー５とを備える。
【０１６７】
器具本体４は、ソケット４ａを有する。ソケット４ａには、電球形ランプ１の口金７０がねじ込まれる。このソケット４ａを介して電球形ランプ１に電力が供給される。
【０１６８】
なお、照明器具としては、図８に示す構成のものに限らず、ダウンライトやスポットライトのように天井に埋込配設された天井埋込型の照明器具等を用いることもできる。
【０１６９】
（その他）
以上、本実施の形態に係る電球形ランプ及び照明装置について、実施の形態に基づいて説明したが、本発明は、これらの実施の形態に限定されるものではない。
【０１７０】
また、上記の実施の形態では、ＬＥＤ２２としてパッケージ化されたＳＭＤ型のＬＥＤ素子を用いたが、これに限らない。例えば、ＬＥＤ２２としてベアチップを用いて、基板２１上に複数のＬＥＤ２２（ベアチップ）を直接実装することで構成されたＣＯＢ（Ｃｈｉｐ  Ｏｎ  Ｂｏａｒｄ）構造のＬＥＤモジュール２０を用いても構わない。なお、この場合、複数のベアチップは蛍光体含有樹脂によって一括封止される。
【０１７１】
また、上記の実施の形態において、ＬＥＤモジュール２０は、青色ＬＥＤチップと黄色蛍光体とによって白色光を放出するように構成したが、これに限らない。例えば、演色性を高めるために、黄色蛍光体に加えて、さらに赤色蛍光体や緑色蛍光体を混ぜても構わない。また、黄色蛍光体を用いずに、赤色蛍光体及び緑色蛍光体を含有する蛍光体含有樹脂を用いて、これと青色ＬＥＤチップとを組み合わせることによりに白色光を放出するように構成することもできる。
【０１７２】
また、上記の実施の形態において、ＬＥＤチップは、青色以外の色を発光するＬＥＤチップを用いても構わない。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１７３】
また、上記の実施の形態において、発光素子としてＬＥＤを例示したが、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子等その他の固体発光素子を用いてもよい。
【０１７４】
また、上記の実施の形態では、本発明を電球形ランプ及びこれを備える照明装置として実現したが、本発明は、他の照明用光源や、照明装置としても実現可能である。
【０１７５】
例えば、本発明は、ダウンライトやスポットライト等のＬＥＤ照明装置に用いられる照明用光源である、フラット薄形構造のＬＥＤユニットとしても実現可能である。また、本発明は、照明用光源である、直管形のＬＥＤランプ又は環状のＬＥＤランプとしても実現可能である。
【０１７６】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【０１７７】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１７８】
１  電球形ランプ（照明用光源）
２  照明装置
３  点灯器具
４  器具本体
４ａ  ソケット
５  ランプカバー
１０  グローブ
２０  ＬＥＤモジュール
２１  基板
２２  ＬＥＤ（発光素子）
２３  補助ＬＥＤ
３０  支持台
４０、４０ａ、４０ｂ  駆動回路
４１  回路基板
５０  回路ホルダ
６０  筐体
７０  口金
１１０  第１の整流回路（直流電源回路）
１２０、１２０ｂ  インバータ
１３０、１３０ａ  インバータ制御回路（制御回路）
１４０  第２の整流回路
１５０  誤作動防止回路
１６０  スイッチ回路
ＣＴ  カレントトランス
Ｄ１〜Ｄ４  ダイオード
ＦＳ  電流ヒューズ素子
Ｌ１、Ｌ２  インダクタ
ＮＦ  ノイズフィルタ
Ｐ１、Ｐ２  入力端子
Ｐ３、Ｐ４  出力端子
Ｑ１、Ｑ２、Ｑ５  スイッチング素子
Ｑ３  スイッチング素子（第２のスイッチング素子）
Ｑ４  スイッチング素子（第１のスイッチング素子）
Ｒ１、Ｒ２、Ｒ４〜Ｒ８、Ｒ１３  抵抗器
Ｒ３  抵抗器（第２の抵抗）
Ｒ９  抵抗器（第１の抵抗）
Ｒ１０  抵抗器（第３の抵抗）
Ｒ１１  抵抗器（第４の抵抗）
Ｒ１２  抵抗器（第５の抵抗）
Ｃ１〜Ｃ６、Ｃ８、Ｃ９  コンデンサ
ＴＤ  トリガダイオード
【図１】
2014235778.tif 000003
【図２】
2014235778.tif 000004
【図３】
2014235778.tif 000005
【図４】
2014235778.tif 000006
【図５】
2014235778.tif 000007
【図６】
2014235778.tif 000008
【図７】
2014235778.tif 000009
【図８】
2014235778.tif 000010